(57)【要約】【課題】剣道の基本動作である足さばきにおいて、送り足の動作を正しく習得できる、送り足習得用補助器具を提供する。【解決手段】被験者１の前足２に着脱可能に装着される装着支持部１１０と、装着支持部１１０により支持され、被験者１による前進の送り足の動作時に後ろ足３が前足２の送り位置を追い越しするときに、後退の送り足の動作時に前足２が後ろ足３の送り位置を追い越しするときに、それらの動きを被験者１が途中で感知可能な接触式または非接触式の感知部１２０を有する。【選択図】図２
2014180378.tif 000002
【特許請求の範囲】
【請求項１】
被験者の一方の足に着脱可能に装着される装着支持部と、当該装着支持部により支持され、被験者による前後への送り足の動作時に後から送る足が先に送った足の送り位置を追い越しするときにその動きを被験者が途中で感知可能な感知部を有することを特徴とする剣道の送り足習得用補助器具。
【請求項２】
感知部が、装着支持部により支持され、被験者による前後への送り足の動作時に後から送る足が先に送った足の送り位置を追い越しするときに後から送る足に接触可能な一または一対の接触片から構成されていることを特徴とする、請求項１記載の剣道の送り足習得用補助器具。
【請求項３】
感知部を構成する一または一対の接触片が、被験者による前後への送り足の動作時に後から送る足が先に送った足の送り位置を追い越しするときに後から送る足に接触して屈曲後、後から送る足から離れて元の位置に復帰可能とされていることを特徴とする、請求項２記載の剣道の送り足習得用補助器具。
【請求項４】
装着支持部および感知部が一枚の略U字形に屈曲可能な長尺部材からなり、同長尺部材の装着支持部が被験者の一方の足に巻き付けられて着脱部材により被験者の一方の足に着脱可能に装着され、装着支持部により感知部が支持されることを特徴とする、請求項１ないし請求項３のいずれか一項に記載の剣道の送り足習得用補助器具。
【請求項５】
被験者の一方の足に着脱可能に取り付けられる光出力部と、他方の足に取り付けられ、被験者による前後への送り足の動作時に後から送る足が先に送った足の送り位置を追い越しするときに光出力部から出力された光信号を感知する非接触式の感知部と、感知部からの感知信号に基づき被験者にアラーム信号を出力するアラーム信号出力部を有することを特徴とする剣道の送り足習得用補助器具。
【発明の詳細な説明】
【技術分野】
【０００１】
本発明は、剣道の基本動作の基礎となる足さばき、特に送り足を習得するための補助器具に関するものである。
【背景技術】
【０００２】
剣道の基本動作・技術の習得にかかる時間は、他の運動種目に比べても多くの時間を要する。その理由は剣道の動作の基礎となる「足さばき」の方法が、現代人が歩く、走る動作と異なり、すり足で床を滑り、送る動作となっているからである。ここで、剣道でいう「足さばき」とは、相手を打突したり、かわしたりするための「足の運び方」であり、身体のさばきの基礎となるものである。中でも「送り足」は、あらゆる方向に素早く移動する場合や、相手を打突する場合に用いる技術である。特に「送り足」による前進・後退の動作を正確かつすばやく行えるようになることが、その後の運動技術の習熟・展開に大きく関わってくる。
【０００３】
これまで剣道の世界では、古来より「一眼二足三胆四力」の教えがあり、足のさばきが重要視されてきた。そして姿勢を整えてからの足さばき、特に「送り足」による前後の動きを反復して練習することが重要であると言われてきたが、その練習を補完するようなものは殆ど考えられてこなかった。
【０００４】
僅かであるが、剣道の基本打ちである面打ち、小手打ち、胴打ち、送り足の練習を一人でできるようにした剣道の練習用具（特許文献１）や、剣道の基本動作である足さばきと振りを体得できるようにした器具（特許文献２）が提案されている。
【先行技術文献】
【特許文献】
【０００５】
【特許文献１】特開平１０−１５５９６２号公報
【特許文献２】特公昭６２−５６３４号公報
【発明の概要】
【発明が解決しようとする課題】
【０００６】
剣道という、今日においては独特な動き、しかしながら日本の伝統的な運動文化としての動きは従来、相当な鍛錬の上で自然と身につくものであった。上述した足さばきのうち、特に「送り足」を用いての移動運動および打突運動はその最たるものである。剣道の足さばきは常に半身に近い体勢で動くため、前足（基本的には右足）を後ろ足が追い越さないように体得することは簡単ではない。すばやい動きを身につけようとする程それらの現象は顕著なものとなる。さらには、動きが速くなる程その現象は自覚できないものとなる。
【０００７】
しかしながら、前述の提案のうち、前者の提案は、打突後被打突棒が回動して退避と元の位置に自動復起することで、一人で打突の練習を連続して行えるが、残念ながら送り足の練習には適していない。また、後者の提案は、基板上の平行ガイドに沿って足を動かすことにより足さばきを体得するようにしているが、剣道の足さばきは常に半身に近い姿勢で動くため、前足を後ろ足が追い越さないように正しく体得するには、やはり不十分である。
【０００８】
本発明は上記課題に鑑みてなされたもので、剣道の基本動作である足さばきにおいて、送り足の動作を正しく習得できる、送り足習得用補助器具を提供することを目的とする。
【課題を解決するための手段】
【０００９】
上記課題を解決するために、本発明は、剣道の送り足習得用補助器具であって、被験者の一方の足に着脱可能に装着される装着支持部と、当該装着支持部により支持され、被験者による前後への送り足の動作時に後から送る足が先に送った足の送り位置を追い越しするときにその動きを被験者が途中で感知可能な感知部を有することを主要な特徴とする。
【００１０】
剣道の足さばきの基礎となる送り足の方法は、図８に示すように、例えば前進移動する場合、前足（基本的には右足２）と後ろ足（基本的には左足３）を順番に送るように、しかも後ろ足が前足を追い越さないように出していく。しかしながら、このような送り足の動きは人間の自然歩行と大きく異なることから、後ろ足を出して送る際に後ろ足がつい前足を追い越してしまう。そこで、本発明の補助器具を訓練者の一方の足（前足２）に装着することにより、前進移動で後ろ足が前足を追い越そうとすると、その動きを訓練者が途中で感知部により感知する。これにより、訓練者は後ろ足が前足を追い越す感覚を感じることができ、後ろ足が前足を追い越さない運動感覚、すなわち正しい送り足の動作を効果的に身に付けることができる。
【００１１】
本発明に係る送り足習得用補助器具は、感知部が、装着支持部により支持され、被験者による前後への送り足の動作時に後から送る足が先に送った足の送り位置を追い越しするときに後から送る足に接触可能な一または一対の接触片から構成されていることを第２の特徴とする。
【００１２】
本発明に係る送り足習得用補助器具は、感知部を構成する一または一対の接触片が、被験者による前後への送り足の動作時に後から送る足が先に送った足の送り位置を追い越しするときに後から送る足に接触して屈曲後、後から送る足から離れて元の位置に復帰可能とされていることを第３の特徴とする。
【００１３】
本発明に係る送り足習得用補助器具は、装着支持部および感知部が一枚の略U字形に屈曲可能な長尺部材からなり、同長尺部材の装着支持部が被験者の一方の足に巻き付けられて着脱部材により被験者の一方の足に着脱可能に装着され、装着支持部により感知部が支持されることを第４の特徴とする。
【００１４】
本発明に係る送り足習得用補助器具は、被験者の一方の足に着脱可能に装着される光出力部と、他方の足に取り付けられ、被験者による前後への送り足の動作時に後から送る足が先に送った足の送り位置を追い越しするときに光出力部から出力された光信号を感知する非接触式の感知部と、感知部からの感知信号に基づき被験者にアラーム信号を出力するアラーム信号出力部を有することを第５の特徴とする。
【発明の効果】
【００１５】
以上説明したように、本発明に係る送り足習得用補助器具を用いることにより、剣道の足さばきの基本動作である送り足の動作を正確に習得することができ、剣道の初心者から熟練者に至るまで、その運動技術を効果的に訓練し、学習することができるという優れた効果を奏する。
【００１６】
さらに、本発明に係る送り足習得用補助器具を用いることにより、学校における剣道の体育実技指導や課外活動指導、中学校における武道必修化に伴う授業補助教材としても十分にその効果を期待することができる。
【図面の簡単な説明】
【００１７】
【図１】送り足習得用補助器具を示す斜視図、
【図２】図１に示す補助器具を被験者の右足に装着した状態を示す図、
【図３】図１に示す補助器具を展開した状態を示す内面図、
【図４】図１に示す補助器具のA−A線矢視断面図、
【図５】被験者の右足に補助器具を装着した状態の作用を示す図で、（Ａ）は前進時の正しい送り足の動作を示す図、（Ｂ）は前進時に後ろ足が前足を追い越すときの様子を示す図、
【図６】被験者の右足に補助器具を装着した状態の作用を示す図で、（Ａ）は後退時の正しい送り足の動作を示す図、（Ｂ）は前進時に前足が後ろ足を追い越すときの様子を示す図、
【図７】送り足習得用補助器具の他の例を示すもので、補助器具を被験者の足に装着した状態を示す図である。
【図８】剣道における前進時および後退時の送り足の順序を示す説明図、
【発明を実施するための最良の形態】
【００１８】
本発明を実施するための一実施形態を図１ないし図６を参照して説明する。図１において、符号１００は剣道の足送り習得用補助器具を示している。
【００１９】
剣道の足送り習得用補助器具（以下、「補助器具」という）１００は、剣道の基本動作である足さばき、特に移動（前進または後退）時の送り足を正しく習得するために用いる補助器具であり、図１および図２に示すように、一方の足の足首付近に装着される装着支持部１１０と、装着支持部１１０により水平姿勢に支持される感知部１２０を有している。装着支持部１１０と感知部１２０の間には屈曲部１３０が設けられている。図２は補助器具１００を訓練者（被験者）１の前足（右足）２に装着した例を示している。
【００２０】
感知部１２０は、訓練者１による前後への送り足の動作時に後から送る足が先に送った足の送り位置を追い越しするときにその動きを訓練者１が途中で感知するもので、感知部１２０により、訓練者１は、前進時には前足（基本的には右足）を後ろ足（基本的には左足）が追い越している感覚を、後退時には後ろ足（基本的には左足）を前足（基本的には右足）が追い越している感覚を、それぞれ感知することができる。より具体的には、前進時には後ろ足が感知部１２０に接触することにより、後退時には前足が感知部１２０に接触することにより、それぞれ前足をあるいは後ろ足を追い越した感覚が、「感じて」「わかる」ようになっている。
【００２１】
図３は補助器具１００の展開図を示している。同図に示すように、補助器具１００は、一定長さの屈曲可能な長尺部材からなり、その中央部分に装着支持部１１０が設けられ、両脇の屈曲部１３０を介して左右に感知部１２０を構成する感知片１２１，１２２が設けられている。感知片１２１，１２２の内面にはそれぞれ着脱部材（例えば面ファスナー）１２３が設けられている。
【００２２】
そして、中央部分の装着支持部１１０の内面側を一方の足の足首回りに密着させて巻き付けるとともに、感知片１２１，１２２の内面の着脱部材１２３，１２３どうしを互いに接合させて感知片１２１，１２２どうしを一体化させることにより、一方の足の足首回りに装着支持部１１０を装着し、感知部１２０を床面に対し水平姿勢となるように片持ち支持するようになっている。
【００２３】
補助器具１００の素材は、装着支持部１１０を足首回りに密着状態で巻き付け可能で、送り足の訓練時に他方の足が感知部１２０に接触すると容易に屈曲する素材を用いることが好ましい。本実施形態では、例えば天然皮革、合成皮革、塩化ビニールなどの弾性変形可能で表面も肌触りのよい素材が用いられる。本実施形態では、容易に屈曲可能な素材を用いることから、図１および図４に示すように、屈曲部１３０を除く感知部１２０、すなわち感知片１２１，１２２の内部にプラスチック等の軽量な板状の芯部材１２４が挿入されている。なお、補助器具１００の素材は上記に限らず、プラスチック等の素材であってもよい。
【００２４】
補助器具１００の展開状態の全長は、補助器具１００を一方の足の足首に装着した水平姿勢の状態で、送り足の訓練時に他方の足が一方の足を追い越そうとしたときに感知部１２０に他方の足が接触する程度の長さが必要とされる。図示例の場合、装着支持部１１０を除く感知部１２０の長さは１５ｃｍ〜２５ｃｍ程度とされる。
【００２５】
なお、装着支持部１１０は足首回りに密着させて装着できる長さがあれば足り、その場合、感知部１２０は一方の感知片１２１のみから構成してもよい。
【００２６】
次に上記構成の補助器具１００の使用方法と作用について、以下に述べる。
【００２７】
まず、補助器具１００を一方の足、例えば図２に示すように前足となる右足２に装着する。装着支持部１１０の内面を右足２の足首回りに密着させて巻き付け、後は感知片１２１，１２２どうしをその内面の着脱部材１２３，１２３により接合させて一体化すればよい。感知部１２０は床面に対し水平で後足となる左足３側に向けて前進方向に対し略直角になるように調整する。
【００２８】
補助器具１００を右足２に正しく装着したら、剣道の足さばきの基礎となる送り足の訓練を行う。足さばき、特に送り足の練習の際に大切なことは前進時に後ろ足を引きつけるときに前足を追い越さないことである。後退時には前足を引きつけるときに後ろ足を追い越さないことである。この一連の動きについては、動きを身に付けるために一つ一つの動作局面をゆっくりと確認しつつ行うことは容易であるが、連続的な動きで早い動作になればなるほどに難しい。さらに前進時に前足を後ろ足が追い越している感覚、後退時に後ろ足を前足が追い越している感覚がそれぞれ自覚しづらい。
【００２９】
例えば、前進する場合、図５（Ａ）に示すように、正しくは前足（右足２）、後ろ足（左足３）を順番に送るように、しかも後ろ足を送るときは前足を追い越さないように出していく。そして、後ろ足を送るときに前足を追い越ししない場合は、前足に装着した補助器具１００の感知部１２０に後ろ足が接触しないので、後ろ足が前足を追い越した感覚がなく、訓練者１は自分の送り足の動作が正しいと感覚的に理解できる。
【００３０】
これに対し、図５（Ｂ）に示すように、後ろ足（左足３）を送るときに後ろ足が前足（右足２）を追い越そうとすると、その途中で、補助器具１００の感知部１２０に後ろ足が接触するから、訓練者１は、後ろ足が前足を追い越した感覚が「感じて」「わかる」ことになり、訓練者１は自分の送り足の動作が正しくないと感覚的に理解できる。補助器具１００の感知部１２０に後ろ足が接触しないように送り足の訓練を繰り返すことによって、訓練者１は、正しい送り足の動作を効果的に習得することができる。
【００３１】
補助器具１００の感知部１２０は、後ろ足と接触して屈曲部１３０を介して送り方向（前方）に弾性変形して屈曲し、訓練者１は接触による後ろ足の足首付近への強い衝撃を感じずに済む。訓練者１は気持ちよく訓練を続けることができる。屈曲させられた感知部１２０は、後ろ足が離れることにより元の位置に弾性復帰し、これにより続けて送り足の動作の訓練を行うことができる。
【００３２】
後退する場合、図６（Ａ）に示すように、正しくは後ろ足（左足３）、前足（右足２）を順番に送るようにし、しかも前足を後方に送るときは後ろ足を追い越さないように出していく。そして、前足を送るときに後ろ足を追い越ししない場合は、前足に装着した補助器具１００の感知部１２０が後ろ足に接触しないので、前足が後ろ足を追い越した感覚がなく、訓練者１は自分の送り足の動作が正しいと感覚的に理解できる。
【００３３】
これに対し、図６（Ｂ）に示すように、前足（右足２）を後方に送るときに前足が後ろ足（左足３）を追い越そうとすると、その途中で、補助器具１００の感知部１２０が後ろ足に接触するから、前足が後ろ足を追い越した感覚が「感じて」「わかる」ことになり、訓練者１は自分の送り足の動作が正しくないと感覚的に理解できる。この場合も、補助器具１００の感知部１２０は、後ろ足と接触して屈曲部１３０を介して反送り方向（前方）に弾性変形して屈曲し、屈曲させられた感知部１２０は、後ろ足が離れることにより元の位置に弾性復帰する。補助器具１００の感知部１２０が後ろ足に接触しないように送り足の訓練を繰り返すことによって、訓練者１は、正しい送り足の動作を効果的に習得することができる。
【００３４】
なお、本実施形態では、前足である右足２に補助器具１００を装着するようにしたが、後ろ足である左足３に補助器具１００を装着してもよい。この場合、補助器具１００は感知部１２０が前足である右足２側に向くようにする。この場合であっても、後ろ足が前足を追い越そうとするとその途中で前足に感知部１２０が接触するので、訓練者は後ろ足が前足を追い越した感覚を把握することができる。
【００３５】
図７は本発明に係る送り足習得用補助器具の他の実施形態で、図中、符号２００は同補助器具を示している。
【００３６】
補助器具２００は、訓練者の一方の足（例えば右足２）の足首にバンド２１１により着脱可能に装着される光出力部２１０と、他方の足（例えば左足３）の足首にバンド２２１により着脱可能に装着される非接触タイプの光感知部（光センサー）２２０と、光感知部２２０からの感知信号に基づき、訓練者にアラーム信号を出力するアラーム信号出力部２３０を有している。
【００３７】
光感知部２２０は、訓練者が前進時に左足（後ろ足）３が右足（前足）２を追い越そうとすると、その途中で右足側の光出力部２１０から真横（左足３側で前進方向に対し略直角となる方向）に送信される光信号を感知する。そして、光感知部２２０からの感知信号に基づき、アラーム信号出力部２３０がアラーム信号（例えば音信号や振動）を出力することで、訓練者は、後ろ足が前足を追い越した感覚が「感じて」「わかる」ことになり、訓練者は自分の送り足の動作が正しくないと感覚的に理解できる。
【００３８】
光感知部２２０からの感知信号をカウントして、パソコン３００に蓄積し、訓練者の習得度合いを客観的に評価できるシステムを構築することもできる。
【００３９】
かくして、本発明に係る送り足習得用補助器具を用いることにより、剣道の初心者から熟練者に至るまで、剣道の足さばき、特に送り足の正しい動作を効果的に習得することができるようになる。
【産業上の利用可能性】
【００４０】
本発明に係る送り足習得用補助器具は、剣道の足さばき、特に送り足の動作を訓練し、習得するための補助器具、学習教材として、また、学校における剣道の体育実技指導や課外活動指導、中学校における武道必修化に伴う授業補助教材として幅広く利用できる。
【符号の説明】
【００４１】
１  訓練者（被験者）
２  右足（前足）
３  左足（後ろ足）
１００，２００  補助器具
１１０  装着支持部
１２０  感知部
１２１，１２２  感知片
１２３  着脱部材
１２４  芯材
２１０  光出力部
２１１  バンド
２２０  光感知部
２３０  アラーム信号出力部
３００  パソコン
【図１】
2014180378.tif 000003
【図２】
2014180378.tif 000004
【図３】
2014180378.tif 000005
【図４】
2014180378.tif 000006
【図５】
2014180378.tif 000007
【図６】
2014180378.tif 000008
【図７】
2014180378.tif 000009
【図８】
2014180378.tif 000010